(57)【要約】      （修正有）【課題】少ないエネルギーコストで建物内の台所を暖めるための空調装置を提供する。【解決手段】建物ＢＬ内の台所３を暖めるための空調装置１である。台所３には、内部に空間１７を有する台座１１と、この台座１１の上に固定された流し台１２とが設けられている。建物ＢＬには、温水式床暖房装置４が設けられている。温水式床暖房装置４は、床６を暖めた温水を熱源機へと戻す戻り温水配管を含む。戻り温水配管の少なくとも一部は、台座１１内の空間１７に配されており、戻り温水配管で暖められた台座１１内の空気Ａｗを台所３側に排出させる排出口３３が設けられている。【選択図】図２
2015087046.tif 000002
【特許請求の範囲】
【請求項１】
建物内の台所を暖めるための空調装置であって、
前記台所には、内部に空間を有する台座と、この台座の上に固定された流し台とが設けられており、
前記建物には、温水式床暖房装置が設けられており、
前記温水式床暖房装置は、床を暖めた温水を熱源機へと戻す戻り温水配管を含み、
前記戻り温水配管の少なくとも一部は、前記台座内の空間に配されており、
前記戻り温水配管で暖められた前記台座内の空気を前記台所側に排出させる排出口が設けられていることを特徴とする空調装置。
【請求項２】
前記排出口は、前記台座に設けられている請求項１記載の空調装置。
【請求項３】
前記排出口は、前記台座の台所空間側を向く面に設けられている請求項１記載の空調装置。
【請求項４】
前記台所は、対面式であり、
前記台座は、前記台所空間側と反対側を向く面に、建物内の空気を前記台座内に導入しうる流入口が設けられている請求項３に記載の空調装置。
【請求項５】
前記流入口は、前記排出口よりも低い位置に設けられている請求項４記載の空調装置。
【発明の詳細な説明】
【技術分野】
【０００１】
本発明は、建物内の台所を暖めるための空調装置に関する。
【背景技術】
【０００２】
従来、冬季での台所空間の温度が居室等に比べると低く、調理作業が辛いという課題があった。
【０００３】
下記特許文献１には、このような課題を解決するために、温風ヒータ付キッチンに関する技術が記載されている。このキッチンは、屋外から導入された外気を加熱するヒータと、ヒータで加熱された外気をキッチンの足元に供給する外気供給口とを具えている。
【先行技術文献】
【特許文献】
【０００４】
【特許文献１】特開２００３−２１４６４１号公報
【発明の概要】
【発明が解決しようとする課題】
【０００５】
しかしながら、上記従来技術にあっては、キッチン専用のヒータが必要になるため、多くのエネルギーコストを要するという問題があった。
【０００６】
本発明は、以上のような問題点に鑑み案出なされたもので、エネルギーコストを抑えながら台所を暖めることが可能な空調装置を提供することを主たる課題としている。
【課題を解決するための手段】
【０００７】
本発明は、建物内の台所を暖めるための空調装置であって、前記台所には、内部に空間を有する台座と、この台座の上に固定された流し台とが設けられており、前記建物には、温水式床暖房装置が設けられており、前記温水式床暖房装置は、床を暖めた温水を熱源機へと戻す戻り温水配管を含み、前記戻り温水配管の少なくとも一部は、前記台座内の空間に配されており、前記戻り温水配管で暖められた前記台座内の空気を前記台所側に排出させる排出口が設けられていることを特徴とする。
【０００８】
本発明に係る前記空調装置において、前記排出口は、前記台座に設けられているのが望ましい。
【０００９】
本発明に係る前記空調装置において、前記排出口は、前記台座の台所空間側を向く面に設けられているのが望ましい。
【００１０】
本発明に係る前記空調装置において、前記台所は、対面式であり、前記台座は、前記台所空間側と反対側を向く面に、建物内の空気を前記台座内に導入しうる流入口が設けられているのが望ましい。
【００１１】
本発明に係る前記空調装置において、前記流入口は、前記排出口よりも低い位置に設けられているのが望ましい。
【発明の効果】
【００１２】
本発明の空調装置では、建物に設けられた温水式床暖房装置が利用される。温水式床暖房装置は、床を暖めた温水を熱源機へと戻す戻り温水配管を含んでいる。戻り温水配管の少なくとも一部は、流し台下方の台座内の空間に配されている。戻り温水配管で暖められた台座内の空気は、排出口から台所側に排出される。
【００１３】
従って、本発明の空調装置は、新たなヒータ等を台所に設けることなく、温水式床暖房装置の排熱を利用して、台所空間を暖めることができる。このため、本発明の空調装置は、台所空間を暖めるためのエネルギーコストを極力抑えることができる。
【図面の簡単な説明】
【００１４】
【図１】本発明の空調装置の概略平面図である。
【図２】図１のＡ−Ａ断面図である。
【図３】図２のＢ−Ｂ断面図である。
【発明を実施するための形態】
【００１５】
以下、本発明の実施の一形態が図面に基づき説明される。
本実施形態の空調装置１は、一般的な住宅やビル等の建物に設けられた温水式床暖房装置を利用して、建物内の台所を暖めるためのものである。図１は、本実施形態の空調装置の概略平面図である。図２は、図１のＡ−Ａ断面図である。
【００１６】
図１に示されるように、建物ＢＬには、居室２、台所３、及び、温水式床暖房装置４が設けられている。図２に示されるように、居室２及び台所３には、例えば、床仕上げ材６ａと、下板６ｂとからなる床６が設けられている。
【００１７】
台所３には、床６に固着される台座１１と、この台座１１の上に固定された流し台１２とが設けられている。本実施形態の台座１１及び流し台１２は、居室２及び台所３との間に設けられている。これにより、本実施形態の台所３は、該台所３での調理者が居室２側を向く対面式のアイランドキッチンとして構成される。
【００１８】
台座１１は、台所３の床６側から上方にのびる側板１５により構成されている。
【００１９】
図３は、図２のＢ−Ｂ断面図である。図２及び図３に示されるように、側板１５は、台所空間３ａ側を向く面（以下、「第１側面」ということがある。）１６ａを有する第１側板１５ａ、及び、台所空間３ａ側と反対側（即ち、居室空間２ａ側）を向く面（以下、「第２側面」ということがある。）１６ｂを有する第２側板１５ｂを含んで構成されている。さらに、側板１５は、第１側板１５ａ及び第２側板１５ｂの各両端間を継ぐ一対の第３側板１５ｃ、１５ｃを含んでいる。これにより、台座１１には、第１側板１５ａ、第２側板１５ｂ、第３側板１５ｃ、流し台底板１４、及び、床仕上げ材６ａで囲まれる内部に、空間１７が形成される。
【００２０】
図２に示されるように、流し台１２は、例えば、台座１１から上方にのびる４つの側板２１と、側板２１の上端を水平にのびる天板２２と、天板２２から下方に凹む水槽部２３と、冷水や温水を供給可能な水栓金具２４と、電磁調理器等の加熱装置２５（図１に示す）とを含んで構成されている。また、流し台１２には、例えば、食事を摂るためのカウンター（図示省略）が設けられてもよい。
【００２１】
図１に示されるように、温水式床暖房装置４は、熱源機２６、熱源機２６で加熱された温水（以下、「行き温水」ということがある。）Ｗａを、居室２の床６の内部に通過させる行き温水配管２７、及び、床６を暖めた温水（以下、「戻り温水」ということがある。）Ｗｂを熱源機２６へと戻す戻り温水配管２８を含んで構成されている。
【００２２】
このような温水式床暖房装置４は、熱源機２６で加熱された高温の行き温水Ｗａを、床６の内部に循環させることができるため、居室空間２ａを効果的に暖房することができる。
【００２３】
図２に示されるように、行き温水配管２７及び戻り温水配管２８は、温水を案内するパイプ部３１と、パイプ部３１の外面の少なくとも一部を被覆する断熱材３２とを含んでいる。このような断熱材３２は、行き温水Ｗａ及び戻り温水Ｗｂの温度低下を防ぐのに役立つ。
【００２４】
行き温水配管２７は、居室２の床６の内部において、パイプ部３１の外面が断熱材３２で被覆されていない。これにより、行き温水配管２７は、パイプ部３１の外面を露出させて、熱源機２６で温められた高温の行き温水Ｗａの熱を、床６の内部で放散することができる。従って、行き温水配管２７内の行き温水Ｗａは、床６を効果的に暖めることができる。
【００２５】
図１に示されるように、行き温水配管２７は、居室２の床６の内部において、ジグザグ状に配置されている。このような行き温水配管２７は、熱源機２６で加熱された高温の行き温水Ｗａを、居室２の床６の内部に万遍なく通過させることができるため、居室２の床６を効果的に暖めることができる。
【００２６】
図２に示されるように、本実施形態の空調装置１は、戻り温水配管２８の少なくとも一部が、台座１１内の空間１７に配されている。しかも、本実施形態の戻り温水配管２８は、台座１１の空間１７内において、パイプ部３１の外面が断熱材３２で被覆されていない。これにより、戻り温水配管２８は、パイプ部３１の外面を露出させて、戻り温水Ｗｂの熱を、台座１１の空間１７に放散することができる。従って、空調装置１は、温水式床暖房装置４の排熱を利用して、空間１７内の空気Ａｗを暖めることができる。
【００２７】
さらに、本実施形態の空調装置１は、台座１１の台所空間３ａ側を向く第１側面１６ａに、戻り温水配管２８で暖められた台座１１内の空気Ａｗを、台所３側に排出させる排出口３３が設けられている。
【００２８】
これにより、本実施形態の空調装置１は、戻り温水配管２８で暖められた空気Ａｗを台所３側に排出させて、台所空間３ａを暖めることができる。従って、空調装置１は、台所３に新たなヒータ等を設けることなく、温水式床暖房装置４の排熱を利用して、台所空間３ａを暖めることができる。このため、本発明の空調装置１は、キッチン専用のヒータを具えていた従来の空調装置に比べて、台所空間３ａを暖めるためのエネルギーコストを、極力抑えることができる。
【００２９】
また、本実施形態の排出口３３は、流し台１２の下方の台座１１に形成されるため、台所３内の調理者の足元を、効果的に暖めることができる。しかも、本実施形態の排出口３３は、台所空間３ａ側を向く第１側面１６ａに設けられているため、戻り温水配管２８で暖められた台座１１内の空気Ａｗを、台所３側に直接排出することができる。従って、本実施形態の空調装置１は、台所空間３ａを効果的に暖めることができる。
【００３０】
台座１１には、建物ＢＬ内の空気Ａｒを台座１１内の空間１７に導入しうる流入口３４が設けられるのが望ましい。このような流入口３４は、台座１１内の空間１７内において、流入口３４と排出口３３との間に空気の流れを形成することができる。従って、流入口３４は、戻り温水配管２８で暖められた台座１１内の空気Ａｗを、排出口３３から円滑に排出させるのに役立つ。
【００３１】
また、流入口３４は、排出口３３よりも低い位置に設けられているのが望ましい。これにより、空調装置１は、各空気Ａｒ、Ａｗの温度差によって生じる空気の浮力（重力換気）を利用して、台座１１内の空間１７への空気Ａｒの導入、及び、台所３への暖かい空気Ａｗの排出を確実に実施することができる。
【００３２】
さらに、流入口３４は、台所空間３ａ側と反対側を向く第２側面１６ｂに設けられるのが望ましい。これにより、流入口３４と排出口３３とは、台座１１内の空間１７を挟んで一直線上に配置されるため、流入口３４と排出口３３との間の空気の流れを、よりスムーズにすることができる。従って、戻り温水配管２８で暖められた空気Ａｗが、台所３側に円滑に排出され、台所空間３ａを効果的に暖めることができる。
【００３３】
台座１１内の空間１７内には、例えば、流入口３４側から排出口３３側に送風する送風手段（図示省略）が設けられてもよい。このような送風手段は、戻り温水配管２８での放熱を促進しつつ、戻り温水配管２８で暖められた台座１１内の空気Ａｗを、排出口３３から円滑に排出させるのに役立つ。なお、送風手段には、風量を調節する調節手段が設けられるのが望ましい。
【００３４】
排出口３３及び流入口３４は、台座１１の長手方向にのびるスリット状の複数の孔部（図示省略）から形成されるのが望ましい。これにより、排出口３３及び流入口３４は、台座１１の空間１７内への異物の浸入を防ぎつつ、建物ＢＬ内の空気Ａｒの導入、及び、台座１１の空間１７内の暖かい空気Ａｗの排出を実施することができる。また、空調装置１には、空調装置１を使用しない夏場において、排出口３３及び流入口３４に閉じることができる開閉機構（図示省略）が設けられるのが望ましい。
【００３５】
図３に示されるように、戻り温水配管２８は、台座１１の空間１７内において、ジグザグ状に配置されるのが望ましい。これにより、戻り温水配管２８を通過する戻り温水Ｗｂは、台座１１の空間１７内の空気Ａｗを、効果的に温めることができる。
【００３６】
台座１１の空間１７内の戻り温水配管２８は、台座１１の長手方向にのびる第１配管２８ａと、台座１１の短手方向で隣接する一対の第１配管２８ａ、２８ａを継ぐ第２配管２８ｂとを含んで構成されるのが望ましい。このような戻り温水配管２８は、台座１１の長手方向の広範囲に亘って配置されるため、台座１１の空間１７内を万遍なく暖めることができる。
【００３７】
図２及び図３に示されるように、流し台底板１４、側板１５及び床仕上げ材６ａには、台座１１の空間１７を向く内面に、断熱材３５が配置されるのが望ましい。このような断熱材３５は、台座１１の空間１７を断熱することができ、空間１７内の暖かい空気Ａｗを効果的に保持することができる。
【００３８】
本実施形態では、排出口３３が、台座１１に設けられているものが例示されたが、これに限定されるわけではない。例えば、排出口３３は、流し台１２に設けられてもよいし、台座１１及び流し台１２の双方に設けられてもよい。これにより、空調装置１は、調理者の足元の上方を暖めることができる。
【００３９】
また、本実施形態では、排出口３３が、台所空間３ａ側を向く第１側面１６ａに設けられるものが例示されたが、これに限定されるわけではない。例えば、排出口３３は、台所空間３ａ側と反対側を向く第２側面１６ｂに設けられてもよいし、第１側面１６ａ及び第２側面１６ｂの双方に設けられてもよい。これにより、空調装置１は、例えば、流し台１２に前記カウンター（図示省略）が設けられる場合、カウンターで食事を摂る使用者の足元を暖房するのに役立つ。
【符号の説明】
【００４０】
１      空調装置
３      台所
４      温水式床暖房装置
６      床
１１    台座
２６    熱源機
２８    戻り温水配管
３３    排出口
【図１】
2015087046.tif 000003
【図２】
2015087046.tif 000004
【図３】
2015087046.tif 000005